(57)【要約】【課題】ディスプレイ装置を壁、または天井に取り付けさせるハンガーを提供する。【解決手段】ディスプレイ装置Ｍを取り外し可能に支えるハンガー１０であって、ハンガー１０の底部に形成され、ディスプレイ装置Ｍを支える支持部１１と、ハンガー１０の両側に形成されると共に、支持部１１に接続され、ディスプレイ装置Ｍを固定する複数の保持部１２と、ハンガー１０の上部に形成されると共に、保持部１２に接続され、ハンガー１０とディスプレイ装置Ｍとを吊り下げる吊り下げ部１３とからなる。さらに、ハンガー１０が曲線構造であることを特徴としている。【選択図】図２Ａ
0003117978.tif 000002
【実用新案登録請求の範囲】
【請求項１】
ディスプレイ装置を取り外し可能に支えるハンガーであって、
前記ハンガーの底部に形成され、前記ディスプレイ装置を支える支持部と、
前記ハンガーの両側に形成されると共に、前記支持部に接続され、前記ディスプレイ装置を固定する複数の保持部と、
前記ハンガーの上部に形成されると共に、前記保持部に接続され、前記ハンガーと前記ディスプレイ装置を吊り下げる吊り下げ部とからなり、
前記ハンガーは、曲線構造であることを特徴とするディスプレイハンガー。
【請求項２】
前記支持部は、複数の支持棒と複数の固定部を更に備えており、前記支持棒と前記固定部は、相互に屈曲した曲線構造によって形成されることを特徴とする請求項１に記載のディスプレイハンガー。
【請求項３】
前記複数の保持部の数は、２つであることを特徴とする請求項１に記載のディスプレイハンガー。
【請求項４】
前記ハンガーは、スチール，金属，ステンレススチール，または銅からできていることを特徴とする請求項１に記載のディスプレイハンガー。
【請求項５】
前記曲線構造は、単一の部品で一体に形成したものであることを特徴とする請求項１に記載のディスプレイハンガー。
【請求項６】
前記ハンガーは、重量が５ｋｇ以下のディスプレイ装置を吊り下げるものであることを特徴とする請求項１に記載のディスプレイハンガー。
【考案の詳細な説明】
【技術分野】
【０００１】
本考案は、ディスプレイ装置を取り外し可能に支えるディスプレイハンガーに関し、特に、ディスプレイ装置を吊り下げるために、曲線構造に形成されたディスプレイハンガーに関するものである。
【背景技術】
【０００２】
図１Ａと１Ｂは、テーブルに設置され、または壁に取り付けられた従来のディスプレイ装置１を表している。設置時において、スタンド２は、ディスプレイ装置のディスプレパネルを支え、ディスプレイ装置をテーブルの上に立たせる（図１Ａを参照）。また、ディスプレイ装置１の背部にある取り付け穴は、壁３にディスプレイ装置を取り付けさせる（図１Ｂ）。
【考案の開示】
【考案が解決しようとする課題】
【０００３】
上記背景技術において、ディスプレイ装置１の取り付け穴は、ディスプレイ装置１の全体的な外観を設計する時に考慮に入れられる。しかし、取り付け穴は、ディスプレイ装置１を壁に掛けさせるだけで、天井からディスプレイ装置１を吊り下げることができない。
【０００４】
そこで本考案は、上記問題点を解決して、取り付け穴を考慮するような制限に関わりなく、ディスプレイ装置Ｍの配置に汎用性を持たせることができ、ディスプレイ装置を壁または天井に取り付けることが可能なディスプレイハンガーを提供することを、その目的とする。
【課題を解決するための手段】
【０００５】
上記課題を解決するために、本考案のディスプレイハンガーは、支持部と、複数の保持部と、吊り下げ部とからなる。支持部は、ハンガーの底部に形成され、ディスプレイ装置を支える。保持部は、ハンガーの両側に形成されると共に、前記支持部に接続され、ディスプレイ装置を固定する。吊り下げ部は、ハンガーの上部に形成されると共に、保持部に接続され、ハンガーとディスプレイ装置を吊り下げる。また、ハンガーは曲線構造である。
【０００６】
支持部は、複数の支持棒と、複数の固定部を更に備えており、それぞれ相互に屈曲した曲線構造によって形成される。
【０００７】
保持部の数は、２つとすることができる。
【０００８】
ハンガーは、スチール，金属，ステンレススチール，または銅からできている。
【０００９】
前記曲線構造は、単一の部品で一体に形成される。
【００１０】
前記ハンガーは、重量が５ｋｇ以下のディスプレイ装置を吊り下げるものである。
【考案の効果】
【００１１】
本考案のディスプレイハンガーは、取り付け穴を考慮するような制限に関わりなく、ディスプレイ装置Ｍの配置に汎用性を持たせることができる。
【考案を実施するための最良の形態】
【００１２】
本考案についての目的、特徴、長所が一層明確に理解されるよう、以下に実施形態を例示し、図面を参照しながら、詳細に説明する。
【実施例】
【００１３】
図２Ａは、本考案のディスプレイ装置用のハンガー１０を表している。図２Ｂは、ディスプレイ装置Ｍに取り付けられたハンガー１０を表している。ハンガー１０は、重量が５ｋｇ以下のディスプレイ装置Ｍを吊り下げる曲線構造を有している。ハンガー１０は、支持部１１と、２つの保持部１２と、吊り下げ部１３とからなる。
【００１４】
支持部１１は、ハンガー１０の底部に形成される。支持部１１の線材は、連続した４つの支持棒１１Ａと３つの固定部１１Ｂに折り曲げられる。４つの支持棒１１Ａは、ディスプレイ装置Ｍの底部に隣接し、ディスプレイ装置Ｍを支える。３つの固定部１１Ｂは、それぞれディスプレイ装置Ｍの前後に隣接し、ディスプレイ装置Ｍを固定する。また、４つの支持棒１１Ａのそれぞれと３つの固定部１１Ｂのそれぞれは、線形構造を連続的に屈曲することによって形成される。２つの保持部１２は、それぞれハンガー１０の左側と右側に形成され、支持部１１に接続し、ディスプレイ装置Ｍの外形に沿って延伸することで、各側の保持部１２がディスプレイ装置Ｍの前部，右部，左部と、後部に隣接し、ディスプレイ装置Ｍを全方向からハンガー１０に固定する。吊り下げ部１３の二つの終端は、二つの保持部１２から延伸し、ハンガー１０の中央上部で連結し、吊り下げる輪を形成する。支持棒と固定部は、その数を需要に応じて変え、各種の方法で屈曲させることができる。
【００１５】
本考案のハンガー１０は、スチール，金属，ステンレススチール，または銅からなる曲線構造のものである。また、ハンガー１０は、単一の部品により一体に形成することができるが、これに限定するものではない。ハンガー１０は、別々の部分品として製造され、一つのものに組み立てることができる。
【００１６】
本考案のハンガー１０は、取り付け穴を考慮するような制限を受けることなく、ディスプレイ装置Ｍの配置に汎用性を持たせることを可能にする。
【００１７】
以上のように、本考案は、ディスプレイ装置Ｍを取り外し可能に支えるハンガー１０であって、ハンガー１０の底部に形成され、ディスプレイ装置Ｍを支える支持部１１と、ハンガー１０の両側に形成されると共に、支持部１１に接続され、ディスプレイ装置Ｍを固定する複数の保持部１２と、ハンガー１０の上部に形成されると共に、保持部１２に接続され、ハンガー１０とディスプレイ装置Ｍとを吊り下げる吊り下げ部１３とからなり、ハンガー１０が曲線構造であることを特徴としている。
【００１８】
この場合、曲線構造であるハンガー１０を利用して、支持部１１でディスプレイ装置Ｍを底部から支え、この支持部１１に接続する保持部１２でディスプレイ装置Ｍを両側から固定し、さらに保持部１２に接続する吊り下げ部１３でハンガー１０とディスプレイ装置Ｍとを任意の箇所に吊り下げることができる。そのため、取り付け穴を考慮するような制限を受けることなく、ディスプレイ装置Ｍの配置に汎用性を持たせることがことができ、ディスプレイ装置Ｍを壁または天井に取り付けることが可能なハンガー１０を提供できる。
【００１９】
また、本考案の支持部１１は、複数の支持棒１１Ａと複数の固定部１１Ｂを更に備えており、これらの支持棒１１Ａと固定部１１Ｂは、相互に屈曲した曲線構造によって形成されている。この場合、支持棒１１Ａと固定部１１Ｂが連続する屈曲した曲線構造で、一つの部品から形成することができる。
【００２０】
また、本考案における複数の保持部１２の数は２つであり、これによりディスプレイ装置Ｍを例えば左右両側から固定することができる。
【００２１】
また、ハンガー１０は、スチール，金属，ステンレススチール，または銅からなり、これらの素材でハンガー１０を形成できる。
【００２２】
また、前記曲線構造は、単一の部品で一体に形成されるので、当該曲面構造を一つの部品で構成することができる。
【００２３】
さらに、本考案のハンガー１０は、重量が５ｋｇ以下のディスプレイ装置Ｍを吊り下げるものであり、５ｋｇ以下の重量のディスプレイ装置Ｍであれば、任意の箇所にハンガー１０とディスプレイ装置Ｍとを吊り下げることができる。
【００２４】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００２５】
【図１Ａ】従来のディスプレイ装置の概略図である。
【図１Ｂ】従来のディスプレイ装置の概略図である。
【図２Ａ】本考案のディスプレイハンガーの概略図である。
【図２Ｂ】ディスプレイ装置に取り付けられた本考案のディスプレイハンガーの概略図である。
【符号の説明】
【００２６】
１０  ディスプレイ装置のハンガー（ディスプレイハンガー）
１１  支持部
１１Ａ  支持棒
１１Ｂ  固定部
１２  保持部
１３  吊り下げ部
Ｍ  ディスプレイ装置
【図１Ａ】
0003117978.tif 000003
【図１Ｂ】
0003117978.tif 000004
【図２Ａ】
0003117978.tif 000005
【図２Ｂ】
0003117978.tif 000006